(57)【特許請求の範囲】
【請求項１】
化粧のために用いられる用具であって、表裏面と左右の側面からなる直方体状の把持部と、上記把持部の先端に取り付けられる化粧のための作用部とを備え、上記把持部が、複数の折り畳み部材を折り畳み自在に連結したものであって、上記連結された折り畳み部材のうち一方を、他方に対し、側面方向に１８０°回動させることによって折り畳み部材同士が横に並ぶように折り畳むことができるよう構成され、上記把持部の各折り畳み部材を折り畳んだ状態では、各折り畳み部材の、把持部の長手方向に沿う側面同士が当接して把持部の長さが縮小し、上記把持部の各折り畳み部材を延ばした状態では、各折り畳み部材の、把持部の長手方向に直交する端面同士が当接し直線状に連結されて把持部の長さが伸長するようになっており、上記各折り畳み部材の、折り畳み状態において互いに当接する側面部に、折り畳み時に互いに係合する第１の係合手段が設けられ、上記各折り畳み部材の、伸長状態において互いに当接する端面部に、伸長時に互いに係合する第２の係合手段が設けられているとともに、上記把持部を構成する折り畳み部材のうち、折り畳み状態において把持部先端の作用部と隣り合う折り畳み部材に、その隣りに位置する作用部を完全にその内側に入り込ませて収納しうる収納部が延設されていることを特徴とする折り畳み式化粧用具。
【請求項２】
上記化粧用具が、化粧料塗布用チップ、化粧料塗布用の化粧筆、マスカラ塗布具、アイブロウコーム、アイブロウブラシのいずれかである請求項１記載の折り畳み式化粧用具。
【発明の詳細な説明】
【技術分野】
【０００１】
本発明は、コンパクトで携帯等に便利な折り畳み式化粧用具に関するものである。
【背景技術】
【０００２】
リップカラーやアイカラー等の化粧料を塗布するための化粧料塗布用チップや化粧筆等は、従来から、把持部が５〜１０ｃｍ程度の棒状のものが主流であったが、最近は、化粧料を充填したコンパクト容器に、その付属物として一緒に装填される場合が多く、その場合、コンパクト容器内での収まりを考慮して、全長が３〜４ｃｍという、ごく短い寸法になっている。
【０００３】
しかし、化粧筆等の寸法が３〜４ｃｍでは、把持部が短すぎて持ちにくいため、化粧の際、指先に神経を集中して化粧しなければ、化粧筆等を取り落としたり、化粧が思うように仕上がらないという問題がある。
【０００４】
そこで、上記化粧筆等を、コンパクト容器等への収納時には短く、使用時には長く延びる伸縮自在な構成にすることが提案されている（例えば、特許文献１等を参照）。
【特許文献１】特開平１０−１６６７７９号公報
【発明の開示】
【発明が解決しようとする課題】
【０００５】
しかしながら、上記特許文献１のものは、図１０（ａ）（不使用時）、同図（ｂ）（使用時）に示すように、蛇腹構造によって把持部が伸縮するようになっているため、伸縮を繰り返すと、蛇腹部分５０が傷んで適正な伸縮ができなくなるという問題がある。また、蛇腹部分５０の内側に、伸縮する筒体５１を設けているが、この筒体５１と蛇腹部分５０との間に隙間があって持ちにくいという問題や、筒体５１による筆部分５２の支受が不安定で化粧しにくいという問題がある。
【０００６】
本発明は、このような事情に鑑みなされたもので、簡単な構成で把持部を伸縮することができ、長期にわたって良好に使用することのできる折り畳み式化粧用具の提供をその目的とする。
【課題を解決するための手段】
【０００７】
上記の目的を達成するため、本発明は、化粧のために用いられる用具であって、表裏面と左右の側面からなる直方体状の把持部と、上記把持部の先端に取り付けられる化粧のための作用部とを備え、上記把持部が、複数の折り畳み部材を折り畳み自在に連結したものであって、上記連結された折り畳み部材のうち一方を、他方に対し、側面方向に１８０°回動させることによって折り畳み部材同士が横に並ぶように折り畳むことができるよう構成され、上記把持部の各折り畳み部材を折り畳んだ状態では、各折り畳み部材の、把持部の長手方向に沿う側面同士が当接して把持部の長さが縮小し、上記把持部の各折り畳み部材を延ばした状態では、各折り畳み部材の、把持部の長手方向に直交する端面同士が当接し直線状に連結されて把持部の長さが伸長するようになっており、上記各折り畳み部材の、折り畳み状態において互いに当接する側面部に、折り畳み時に互いに係合する第１の係合手段が設けられ、上記各折り畳み部材の、伸長状態において互いに当接する端面部に、伸長時に互いに係合する第２の係合手段が設けられているとともに、上記把持部を構成する折り畳み部材のうち、折り畳み状態において把持部先端の作用部と隣り合う折り畳み部材に、その隣りに位置する作用部を完全にその内側に入り込ませて収納しうる収納部が延設されている折り畳み式化粧用具を第１の要旨とする。
【０００８】
また、本発明は、そのなかでも、特に、上記化粧用具が、化粧料塗布用チップ、化粧料塗布用の化粧筆、マスカラ塗布具、アイブロウコーム、アイブロウブラシのいずれかである折り畳み式化粧用具を第２の要旨とする。
【発明の効果】
【０００９】
すなわち、本発明の折り畳み式化粧用具は、その把持部が、複数の折り畳み部材を連結したものであって、上記連結された折り畳み部材のうち一方を、他方に対し、側面方向で１８０°回動させることによって折り畳み部材同士が横に並ぶように折り畳むことのできる、特殊な折り畳み構造になっているため、全体をコンパクトに折り畳んだ状態で収納することができ、また、使用時には、上記把持部を略棒状に長く延ばして、化粧等の使用に供することができ、使い勝手がよい、という利点を有する。
【００１０】
また、上記把持部を構成する複数の折り畳み部材に、２種類の特定の係合手段が設けられており、把持部を短く折り畳んだ状態と、伸長した状態のそれぞれの場合において、その状態を係合によって保持することができるようになっている。したがって、上記折り畳み式化粧用具を収納した状態において、化粧用具ががたつくことがなく、その先端に設けられた作用部（化粧のためのチップ片や筆等）が損傷しにくい構造になっている。また、上記折り畳み式化粧用具を使用する場合には、その動作時に、把持部に力がかかっても、把持部が折れて使用しにくくなることがなく、良好に使用することができる。
【００１１】
しかも、本発明では、特に、上記把持部を構成する折り畳み部材のうち、折り畳み状態において把持部先端の作用部と隣り合う折り畳み部材に、その隣に位置する作用部を完全にその内側に入り込ませて収納するための収納部を延設しているため、折り畳み式化粧用具を収納した状態において、その作用部を、より衛生的に保護することができ、好適である。
【００１２】
そして、本発明のなかでも、特に、上記化粧用具が、化粧料塗布用チップ、化粧料塗布用の化粧筆、マスカラ塗布具、アイブロウコーム、アイブロウブラシのいずれかである場合、日常的に携帯して使用する頻度が高く、実用性の高いものとなり、好適である。
【発明を実施するための最良の形態】
【００１３】
つぎに、本発明を実施するための最良の形態について参考の形態とともに説明する。ただし、本発明は、この実施の形態に限られるものではない。
【００１４】
図１（ａ）は、本発明を実施するための参考の形態である折り畳み式化粧料塗布用チップ（以下、単に「チップ」という）の背面図であり、図１（ｂ）は、その平面図である。これらの図において、１は、略棒状（より具体的には直方体状）の把持部で、２は、その先端に取り付けられる化粧料塗布用のチップ片である。
【００１５】
上記把持部１は、２個の折り畳み部材３、４で構成されており、折り畳み部材３の先端面中央から前方に延びる取り付けガイド３ａに、上記チップ片２が差し込み固定されている。そして、上記折り畳み部材３、４の、互いに当接する端面の一辺Ｐの部分が薄肉部で連結されており、図１（ｂ）に示すように、この一辺Ｐを回転軸として、折り畳み部材３、４が、互いに側方に回動自在（すなわち折り畳み自在）に連結されている。
【００１６】
なお、折り畳み部材３の、上記一辺Ｐを回転軸として回動する側面５には、円柱状の突起６が形成されており、折り畳み部材４の、同じく上記一辺Ｐを回転軸として回動する側面７には、切欠き穴８が形成されている。そして、図１（ｂ）において、鎖線で示すように、一辺Ｐを回転軸として、折り畳み部材４を折り畳み部材３側に１８０°回動させて折り畳むことにより、上記突起６が切欠き穴８に係合するようになっている。
【００１７】
折り畳み部材３、４を完全に折り畳んだ状態を、図２に示す。この状態によれば、チップの全長が、略２／３となり、全体を小さなスペースに収めることができる。
【００１８】
なお、図２において、９は、折り畳み部材４の端面から延設される、係合用の突出部で、この突出部９には、切欠き穴１０が形成されている。そして、折り畳み部材４を開いて、全体を、図１（ａ）、（ｂ）に示すように、直線状に延ばした状態において、上記突出部９は、折り畳み部材３の端面開口に入り込んで（図３参照）、折り畳み部材３の内側に形成された円柱状の突起１１と係合して、その状態を保持するようになっている。この状態を、図１（ａ）のＡ−Ａ′断面図である図４と、図１（ｂ）のＢ−Ｂ′断面図である図５に示す。
【００１９】
上記構成によれば、チップの把持部１が、回動自在に連結された２個の折り畳み部材３、４によって構成されているため、上記折り畳み部材３に対し、折り畳み部材４を側方に回動させて全体を折り畳むことができ、その結果、全体が長手方向に短くなり、小さなスペースに収納することができる。そして、上記チップ使用時には、上記折り畳み部材４を、折り畳み部材３に対して直線的に延ばすることにより、把持部１を長く伸長することができる。したがって、この部分を手に持って、違和感なく良好に化粧を施すことができる。
【００２０】
しかも、上記把持部１を短く折り畳んだ状態において、折り畳み部材３側の突起６と折り畳み部材４側の切欠き穴８とが係合して、その折り畳み状態が安定的に保持されるようになっているため（図２参照）、上記チップを、コンパクト容器等内に収納して持ち歩いても、収納スペース内でチップががたつくことがなく、その先端に設けられたチップ片２が外れたり損傷したりすることがないという利点を有する。
【００２１】
また、上記把持部１を長く延ばした状態では、上記折り畳み部材３の内側の突起１１と折り畳み部材４の突出部９に設けられた切欠き穴１０とが係合して、その伸長状態が安定的に保持されるようになっているため（図４参照）、チップ使用時に、把持部１を手で持っても、把持部１が折れて使用しにくくなることがなく、良好に使用することができる。特に、チップ片２を肌に押し付ける動作の方向とは垂直方向（肌面と平行な方向）に、折り畳み部材３、４が回動するよう設定されているため、チップ使用時に、上記折り畳み部３、４の係合を外そうとする力が働かず、係合が安定的に維持されるという利点を有する。
【００２２】
なお、上記の例では、把持部１を折り畳んだ状態でチップ片２が剥き出しになっているが、図６に示すように、折り畳み部材４の一端側を、チップ片２を覆うように延設することにより、チップ片２を完全にその内側に入り込ませて収納しうる収納部１２を設けることが、本発明の最良の形態である。このようにすると、チップ収納時に、より衛生的にチップ片２を保護することができる。
【００２３】
また、上記の例では、把持部１が、折り畳み部材３、４の２部材で構成されているが、把持部１を構成する折り畳み部材３等の数は、特に限定するものではない。例えば、伸長した状態での全長を、より長くするために、図７に示すように、把持部１を、折り畳み部材３、４′、４″の３部材で構成するようにしても差し支えない。このものは、まず、折り畳み部材４′を、矢印Ｘで示すように回動して折り返し、つぎに、折り畳み部材４″を、矢印Ｙで示すように回動して折り返すことにより、図８に示すように、短く折り畳むことができる。
【００２４】
なお、この構成においても、折り畳み部材３、４″に係合用の突起６、６ａを設け、折り畳み部材４′の左右の側面に切欠き穴８、８ａを設けることにより、折り畳んだ状態において、突起６、６ａと切欠き穴８、８ａとを、それぞれ係合させて、その状態を安定的に保持させる。また、同様に、折り畳み部材３、４′、４″を直線状に延ばした状態において、その状態を安定的に保持させるための係合を、前記の例と同様に設けておくようにする（図示せず）。
【００２５】
さらに、上記の例では、各折り畳み部材３等を、互いの当接面の一辺Ｐ（図１参照）に薄肉部からなる連結部を設けて連結しているが、連結構造は、これに限るものではなく、各折り畳み部材３等を、互いに折り畳み自在に連結できる構造であれば、特に限定するものではない。例えば、互いに独立した折り畳み部材を直線状に並べた状態で、上記一辺Ｐを挟む両側の折り畳み部材にまたがって、接着テープ（シール）を貼着することにより、両側の折り畳み部材を折り畳み自在に連結することができる。また、折り畳み部材同士を、ヒンジ結合によって連結することもできる。
【００２６】
そして、上記の例は、本発明をチップに適用したものであるが、これに限らず、各種の化粧用具に適用することができる。例えば、上記の例におけるチップ片２に代えて、図９（ａ）に示す化粧筆２０、同図（ｂ）に示すマスカラ塗布具２１、同図（ｃ）に示すアイブロウコーム２２、同図（ｄ）に示すアイブロウブラシ２３等を用いた各種化粧用具を提供することができる。また、参考例として、同図（ｅ）に示す綿棒２４、同図（ｆ）に示す爪楊枝２５、同図（ｇ）に示すデンタルフロス２６等を用いた各種身繕い用の衛生用具を提供することができる。
【００２７】
なお、上記綿棒２４、爪楊枝２５、デンタルフロス２６は、使い捨てタイプとして、把持部１（図１参照）とは別に、例えば複数個を１セットとして用意され、折り畳み部材３から延びる取り付けガイド３ａに対し、着脱自在に取り付けられるようになっている。
【００２８】
これらの身繕い用具は、いずれも、その把持部１を折り畳んだ状態で、ごく小さい容器に収納することができるため、外出時に携帯して、必要に応じてこれを取り出し、把持部１を長く延ばして身繕いに供することができる。
【図面の簡単な説明】
【００２９】
【図１】（ａ）は本発明の一参考例の背面図、（ｂ）はその平面図である。
【図２】上記参考例を折り畳んだ状態を示す説明図である。
【図３】上記参考例を折り畳んだ状態から少し開いた状態を示す説明図である。
【図４】図１（ａ）のＡ−Ａ′断面図である。
【図５】図１（ｂ）のＢ−Ｂ′断面図である。
【図６】本発明の一実施例の説明図である。
【図７】本発明の他の参考例の説明図である。
【図８】上記さらに他の参考例を折り畳んだ状態を示す説明図である。
【図９】（ａ）〜（ｄ）は、いずれも本発明の他の実施例を示す部分的な説明図、（ｅ）〜（ｇ）は、いずれも本発明の他の参考例を示す部分的な説明図である。
【図１０】（ａ）は一従来例の縮んだ状態を示す説明図、（ｂ）は上記従来例の延びた状態を示す説明図である。
【符号の説明】
【００３０】
１  把持部
２  チップ片
３、４  折り畳み部材
【図１】
0005432442.tif 000002
【図２】
0005432442.tif 000003
【図３】
0005432442.tif 000004
【図４】
0005432442.tif 000005
【図５】
0005432442.tif 000006
【図６】
0005432442.tif 000007
【図７】
0005432442.tif 000008
【図８】
0005432442.tif 000009
【図９】
0005432442.tif 000010
【図１０】
0005432442.tif 000011